(57)【要約】【課題】プッシュスキャン機能により紙媒体等から読み取られた画像が第三者に盗み見され、情報が漏洩してしまうことを防ぐことができる画像読取システムを提供する。【解決手段】  プッシュスキャンの開始指示を受け付けたＭＦＰは、スキャンを開始すると共に、ユーザにより選択されたＰＣに対し、ＬＡＮを介してプッシュスキャン準備指令とロック指令とを行う（Ｓ１１０）。これらの指令を受け取ったＰＣは、対応するアプリケーションを起動すると共にスキャン画像の表示を一時的に禁止し、さらに、ＭＦＰに対してロック成功通知を行う（Ｓ１２０）。ロック成功通知を受け取ったＭＦＰは、ＰＣへのスキャン画像データの送信を開始する（Ｓ１３０）。【選択図】図３
2010081378.tif 000002
【特許請求の範囲】
【請求項１】
ユーザから直接受け付けた指示に基づき画像を読み取り、読み取った画像に基づき画像データを生成する画像読取装置と、当該画像読取装置が生成した画像データに基づく画像を表示する情報処理装置とを有する画像読取システムであって、
前記画像読取装置は、
読み取った画像に基づき生成された画像データを前記情報処理装置に対して出力する出力手段と、
前記情報処理装置に対し、前記出力手段が出力した画像データに基づく画像の表示を禁止する旨の指示である禁止指示を行う指示手段と、
を備え、
前記情報処理装置は、
前記画像読取装置から出力された画像データを取得する取得手段と、
種々の画像を表示する表示手段と、
前記取得手段が取得した画像データに基づく画像を前記表示手段に表示させる制御手段と、
前記禁止指示を受け付ける指示受付手段と、
を備え、
前記制御手段は、前記指示受付手段が前記禁止指示を受け付けると、前記取得手段が取得した画像データに基づく画像の表示を禁止すること、
を特徴とする画像読取システム。
【請求項２】
請求項１に記載の画像読取システムにおいて、
前記情報処理装置は、前記画像読取装置に対し、前記制御手段が、前記取得手段が取得した画像データに基づく画像の表示を禁止した旨を通知する第一の通知手段をさらに備え、
前記画像読取装置は、前記制御手段が画像データに基づく画像の表示を禁止した旨の通知を受け付ける第一の通知受付手段をさらに備え、
前記出力手段は、前記第一の通知受付手段が、前記制御手段が画像データに基づく画像の表示を禁止した旨の通知を受け付けた場合に、当該通知を行った前記情報処理装置に対して画像データを出力すること、
を特徴とする画像読取システム。
【請求項３】
請求項１または請求項２に記載の画像読取システムにおいて、
前記制御手段は、前記受付手段が前記禁止指示を受け付けると、自装置をログオフされた状態とすることにより、前記取得手段が取得した画像データに基づく画像の表示を禁止すること、
を特徴とする画像読取システム。
【請求項４】
請求項１または請求項２に記載の画像読取システムにおいて、
前記制御手段は、前記取得手段が取得した画像データに基づく画像の表示を禁止した後、所定の時間が経過した際に、画像データに基づく画像の表示の禁止を解除すること、
を特徴とする画像読取システム。
【請求項５】
請求項１または請求項２に記載の画像読取システムにおいて、
前記情報処理装置は、ユーザからパスワードの入力を受け付ける入力受付手段をさらに備え、
前記制御手段は、前記取得手段が取得した画像データに基づく画像の表示を禁止した後、前記入力受付手段を介して所定のパスワードの入力を受け付けると、画像データに基づく画像の表示の禁止を解除すること、
を特徴とする画像読取システム。
【請求項６】
請求項１から請求項５のいずれかに記載の画像読取システムにおいて、
前記出力手段は、ネットワークを介して接続されている情報処理装置、または、自装置にローカル接続されている情報処理装置、に対して画像データを送信可能であり、
前記指示手段は、前記出力手段がネットワークを介して接続されている前記情報処理装置に対して画像データを送信する場合、当該情報処理装置に対して前記禁止指示を行い、前記出力手段が自装置にローカル接続されている前記情報処理装置に対して画像データを送信する場合、当該情報処理装置に対して前記禁止指示を行わないこと、
を特徴とする画像読取システム。
【請求項７】
請求項１から請求項６のいずれかに記載の画像読取システムにおいて、
前記情報処理装置は、前記画像読取装置に対し、前記制御手段が、前記取得手段が取得した画像データに基づく画像の表示の禁止に失敗した旨を通知する第二の通知手段をさらに備え、
前記画像読取装置は、前記制御手段が画像データに基づく画像の表示の禁止に失敗した旨の通知を受け付ける第二の通知受付手段をさらに備え、
前記出力手段は、前記第二の通知受付手段が、前記制御手段が画像データに基づく画像の表示の禁止に失敗した旨の通知を受け付けた場合、当該通知を行った前記情報処理装置に対して暗号化された画像データを出力すること、
を特徴とする画像読取システム。
【請求項８】
ユーザから直接受け付けた指示に基づき画像を読み取り、読み取った画像に基づき画像データを生成する画像読取装置であって、
前記画像読取装置は、
読み取った画像に基づき生成された画像データを、当該画像データに基づく画像を表示する情報処理装置に対して出力する出力手段と、
前記情報処理装置に対し、前記出力手段が出力した画像データに基づく画像の表示を禁止する旨の指示である禁止指示を行う指示手段と、
を備えることを特徴とする画像読取装置。
【発明の詳細な説明】
【技術分野】
【０００１】
本発明は、紙媒体等から画像を読み取り、読み取った画像に基づく画像データを生成すると共に、この画像データに基づく画像を表示する画像読取システムに関する。
【背景技術】
【０００２】
ＬＡＮに接続されたＰＣとＭＦＰ（多機能周辺装置）との間でスキャン画像データ等の授受を行うシステムが知られている。特許文献１には、ユーザがＭＦＰに対して直接スキャンを指示し、ＭＦＰにて生成されたスキャン画像データを、ＬＡＮ上のＰＣに送信するというプッシュスキャン機能について記載されている。
【特許文献１】特開２００５−１９２０２２号公報
【発明の開示】
【発明が解決しようとする課題】
【０００３】
ところで、プッシュスキャンを行う際には、ユーザは、スキャンの対象となる紙媒体等をＭＦＰにセットし、ＭＦＰに対してプッシュスキャンを開始する旨の操作を行う必要がある。このため、プッシュスキャンを行う際、ユーザは、スキャン画像データを受信するＰＣの付近にいないことが予測される。しかしながら、従来のプッシュスキャンでは、ＭＦＰからプッシュスキャン準備指令を受け付けたＰＣは、アプリケーションを起動し、ＭＦＰにて生成されるスキャン画像データの受信を待っていた。そして、ＰＣは、スキャン画像データを受信すると、ユーザが自装置の付近にいるか否かに関らず、上記アプリケーションによりスキャン画像をそのまま表示していた。このため、プッシュスキャン機能により紙媒体等の画像をスキャンする場合には、ディスプレイを覗き見るだけで、ＰＣを介してスキャン画像が第三者に盗み見され、情報が漏洩してしまうおそれがあった。
【０００４】
本願発明は上記課題を解決するためになされたものであり、プッシュスキャン機能により紙媒体等から読み取られた画像が第三者に盗み見され、情報が漏洩してしまうことを防ぐことができる画像読取システムを提供することを目的とする。
【課題を解決するための手段】
【０００５】
上記課題を解決するためになされた請求項１に記載の画像読取システムは、ユーザから直接受け付けた指示に基づき画像を読み取り、読み取った画像に基づき画像データを生成する画像読取装置と、当該画像読取装置が生成した画像データに基づく画像を表示する情報処理装置とを有する。そして、画像読取装置は、読み取った画像に基づき生成された画像データを情報処理装置に対して出力する出力手段と、情報処理装置に対し、出力手段が出力した画像データに基づく画像の表示を禁止する旨の指示である禁止指示を行う指示手段とを備える。また、情報処理装置は、画像読取装置から出力された画像データを取得する取得手段と、種々の画像を表示する表示手段と、取得手段が取得した画像データに基づく画像を表示手段に表示させる制御手段と、禁止指示を受け付ける指示受付手段とを備える。そして、制御手段は、指示受付手段が禁止指示を受け付けると、取得手段が取得した画像データに基づく画像の表示を禁止する。
【０００６】
こうすることにより、画像読取システムは、情報処理装置に対する禁止指示が行われた場合には、画像読取装置がユーザから直接受け付けた指示により紙媒体等から読み取った画像、すなわち、プッシュスキャン機能により紙媒体等から読み取った画像が情報処理装置にて表示されてしまうことを防ぐことができる。したがって、この画像読取システムは、プッシュスキャン機能により紙媒体等から読み取られた画像が第三者に盗み見され、情報が漏洩してしまうことを防ぐことができる。
【０００７】
また、画像読取装置は、次のようなタイミングで、読み取った画像に基づく画像データを情報処理装置に対して出力してもよい。
すなわち、請求項２に記載されているように、情報処理装置は、画像読取装置に対し、制御手段が、取得手段が取得した画像データに基づく画像の表示を禁止した旨を通知する第一の通知手段をさらに備え、画像読取装置は、制御手段が画像データに基づく画像の表示を禁止した旨の通知を受け付ける第一の通知受付手段をさらに備えても良い。そして、出力手段は、第一の通知受付手段が、制御手段が画像データに基づく画像の表示を禁止した旨の通知を受け付けた場合に、当該通知を行った情報処理装置に対して画像データを出力しても良い。
【０００８】
こうすることにより、画像読取システムは、プッシュスキャン機能により紙媒体等から読み取られた画像が第三者に盗み見され、情報が漏洩してしまうことをより確実に防ぐことができる。
【０００９】
また、情報処理装置は、次のようにして画像読取装置が読み取った画像の表示を禁止しても良い。
すなわち、請求項３に記載されているように、制御手段は、受付手段が禁止指示を受け付けると、自装置をログオフされた状態とすることにより、取得手段が取得した画像データに基づく画像の表示を禁止しても良い。
【００１０】
尚、自装置（情報処理装置）をログオフされた状態とするとは、例えば、情報処理装置を制御するためのＯＳであって、画像読取装置にて紙媒体等から読み取られた画像を表示するためのアプリケーションを動作させることが可能なＯＳを用いて情報処理装置にログインしているユーザを、ログオフさせることであっても良い。
【００１１】
こうすることにより、画像読取システムは、プッシュスキャン機能により紙媒体等から読み取られた画像の表示を防ぐことができる。また、情報処理装置をログオフされた状態とすることにより、この情報処理装置を見ただけでは、画像読取装置に対応するアプリケーションが動作しているか否かを判別できなくなる。つまり、情報処理装置は、第三者に対し、画像読取装置にてプッシュスキャン機能による画像の読み取りが行われていることを秘匿することができる。したがって、請求項３に記載の画像読取システムでは、紙媒体等から読み取られた画像が第三者に盗み見されてしまうことをより確実に防ぐことができると共に、紙媒体等から読み取られた画像に基づく画像データの盗難の予防が可能となり、プッシュスキャン機能により読み取られた画像の漏洩をより確実に防ぐことができる。
【００１２】
また、情報処理装置は、画像読取装置にて読み取られた画像の表示を禁止した後、次のようにして禁止を解除しても良い。
すなわち、請求項４に記載されているように、制御手段は、取得手段が取得した画像データに基づく画像の表示を禁止した後、所定の時間が経過した際に、取得手段が取得した画像データに基づく画像の表示の禁止を解除しても良い。
【００１３】
こうすることにより、例えば、ユーザが情報処理装置から離れた場所で画像読取装置による画像の読み取りのための作業を行っている場合であっても、画像読取システムは、画像の読み取りの開始後から、ユーザが情報処理装置の付近に戻るまでの間、読み取られた画像の表示を禁止することが可能となる。したがって、画像読取システムは、紙媒体等から読み取られた画像が第三者に盗み見され、情報が漏洩してしまうことを防ぐことが可能となる。
【００１４】
また、情報処理装置は、画像読取装置にて読み取られた画像の表示を禁止した後、次のようにして禁止を解除しても良い。
すなわち、請求項５に記載されているように、情報処理装置は、ユーザからパスワードの入力を受け付ける入力受付手段をさらに備えても良い。そして、制御手段は、取得手段が取得した画像データに基づく画像の表示を禁止した後、入力受付手段を介して所定のパスワードの入力を受け付けると、取得手段が取得した画像データに基づく画像の表示の禁止を解除しても良い。
【００１５】
こうすることにより、所定のパスワードを知っている限られたユーザのみが、情報処理装置を介して画像読取装置にて読み取られた画像を見ることができる。したがって、画像読取システムは、紙媒体等から読み取られた画像が第三者に盗み見され、情報が漏洩してしまうことをより確実に防ぐことができる。
【００１６】
また、例えば、情報処理装置と画像読取装置とがＬＡＮ等のネットワークを介して接続されている場合には、情報処理装置と画像読取装置とが互いに離れた場所に設置されている場合を想定することができる。一方、例えば、情報処理装置と画像読取装置とがＵＳＢやＩＥＥＥ１３９４等といった規格に対応したケーブルにより直接ローカルに接続されている場合には、互いに隣接した場所に設置されていることが予測される。尚、画像処理装置と画像読取装置とが、例えば、ＵＳＢやＩＥＥＥ１３９４等といった規格に対応したケーブルや、シリアルケーブル等により直接接続されていることを、ローカル接続と記載する。情報処理装置と画像読取装置とが互いに隣接した場所に設置されている場合には、ユーザは、情報処理装置の付近にて画像読取装置による画像の読み取りのための作業を行うことが考えられる。
【００１７】
そこで、請求項６に記載の画像読取システムでは、出力手段は、ネットワークを介して接続されている情報処理装置、または、自装置にローカル接続されている情報処理装置、に対して画像データを送信可能であり、指示手段は、出力手段がネットワークを介して接続されている情報処理装置に対して画像データを送信する場合、当該情報処理装置に対して禁止指示を行い、出力手段が自装置にローカル接続されている情報処理装置に対して画像データを送信する場合、当該情報処理装置に対して前記禁止指示を行わない。
【００１８】
こうすることにより、情報処理装置は、自装置に直接接続されている画像読取装置から画像データを取得した場合には、画像の読み取りを指示したユーザが自装置の付近にいるとみなし、取得した画像データに基づく画像を表示することができる。また、ディスプレイを覗き見られる可能性の高い場合には画像の表示を禁止する。したがって、紙媒体等から読み取られた画像が第三者に盗み見され、情報が漏洩してしまうことを防ぎつつ、画像読取システムの使い勝手を向上させることができる。
【００１９】
また、情報処理装置が、画像読取装置が読み取った画像の表示の禁止に失敗するといった場合を想定することができる。
そこで、請求項７に記載の画像読取システムでは、情報処理装置は、画像読取装置に対し、制御手段が、取得手段が取得した画像データに基づく画像の表示の禁止に失敗した旨を通知する第二の通知手段をさらに備え、画像読取装置は、制御手段が画像データに基づく画像の表示の禁止に失敗した旨の通知を受け付ける第二の通知受付手段をさらに備える。そして、出力手段は、第二の通知受付手段が、制御手段が前記画像データに基づく画像の表示の禁止に失敗した旨の通知を受け付けた場合、当該通知を行った情報処理装置に対して暗号化された画像データを出力する。
【００２０】
こうすることにより、画像読取システムは、情報処理装置が、画像読取装置が読み取った画像の表示の禁止に失敗した場合であっても、この画像が第三者に盗み見され、情報が漏洩してしまうことを防ぐことが可能となる。
【００２１】
ところで、請求項１から請求項７に記載した画像読取システムの画像読取装置を、単体で構成して市場に流通させても良い。画像読取装置を単体で構成しても、対応する情報処理装置と組み合わせることにより、上述した効果を奏する。
【発明を実施するための最良の形態】
【００２２】
以下、本発明の実施形態について図面を用いて説明する。尚、本発明の実施の形態は、下記の実施形態に何ら限定されることはなく、本発明の技術的範囲に属する限り種々の形態を採りうる。
【００２３】
［構成の説明］
（１）画像読取システムについて
図１は、本実施形態の画像読取システム１の構成を示すブロック図である。画像読取システム１は、プリンタや、スキャナや、コピー機や、ＦＡＸ等の機能を有するＭＦＰ１０と、パーソナルコンピュータであるＰＣ２０ａ，ＰＣ２０ｂ，ＰＣ２０ｃとを有している。尚、ＭＦＰ１０とＰＣ２０ａとは、ＵＳＢ４０により接続されており、ＭＦＰ１０と、ＰＣ２０ｂ及びＰＣ２０ｃは、ＬＡＮ３０により接続されている。尚、本実施形態では、画像読取システム１は１台のＭＦＰを有しているが、２台以上のＭＦＰを有していても良い。また、画像読取システム１には３台のＰＣを有しているが、画像読取システム１は、２台以下のＰＣを有していても良いし、４台以上のＰＣを有していても良い。また、以後、ＰＣ２０ａ，ＰＣ２０ｂ，ＰＣ２０ｃをまとめてＰＣ２０とも記載する。
【００２４】
（２）ＭＦＰについて
次に、画像読取システム１を構成するＭＦＰ１０の詳細な構成について、図２の（ａ）に記載のブロック図を用いて説明する。ＭＦＰ１０は、制御部１１と、液晶表示パネル１２と、入力部１３と、スキャンエンジン１４と、ＵＳＢ  Ｉ／Ｆ１５と、記憶部１６と、ネットワークＩ／Ｆ１７と、印刷エンジン１８とから構成される。これらの構成要素は、バスを介して接続されている。
【００２５】
制御部１１は、ＣＰＵ，ＲＯＭ，ＲＡＭ，Ｉ／Ｏ及びこれらの構成を接続するバスラインなどからなる周知のマイクロコンピュータを中心に構成されており、ＲＯＭ等に記憶されたプログラムに基づいて上記各部を統括的に制御して各種処理を実行する。
【００２６】
液晶表示パネル１２は、液晶ディスプレイ等を備え、ユーザに対して視覚的に情報を伝達する部位である。
入力部１３は、メカニカルスイッチやタッチパネル等を備え、ユーザより操作入力を受け付ける部位である。
【００２７】
スキャンエンジン１４は、制御部１１からの指令に基づき、所定の原稿読取位置にセットされた原稿の画像を読み取り、この画像を表すスキャン画像データを生成する部位である。
【００２８】
ＵＳＢ  Ｉ／Ｆ１５は、ＵＳＢ対応機器（本実施形態ではＰＣ２０ａ）とＵＳＢ規格に基づいた通信を実現するための通信処理を行う部位である。
記憶部１６は、ハードディスクやフラッシュメモリ等の不揮発性の記憶媒体から構成され、ＭＦＰ１０が各種機能を実現する際に利用するデータの記憶領域として用いられる部位である。
【００２９】
ネットワークＩ／Ｆ１７は、ＬＡＮ３０上の機器（本実施形態ではＰＣ２０ｂとＰＣ２０ｃ）とEthernet（登録商標）規格に基づいた通信を行う部位である。
印刷エンジン１８は、制御部１１からの指令に基づき、用紙等の印刷媒体に画像を印刷する部位である。なお、印刷エンジン１８により印刷される画像としては、例えば、スキャンエンジン１４により読み取られた画像、ファクシミリ機能により受信した画像、ＰＣ２０等の外部装置から受信した印刷用の画像などが挙げられる。
【００３０】
（３）ＰＣについて
次に、画像読取システム１を構成するＰＣ２０の詳細な構成について、図２の（ｂ）に記載のブロック図を用いて説明する。ＰＣ２０は、制御部２１と、ディスプレイ２２と、キーボード２３と、マウス２４と、ネットワークＩ／Ｆ２５と、記憶部２６と、ＵＳＢ  Ｉ／Ｆ２７とから構成される。これらの構成要素は、バスを介して接続されている。
【００３１】
制御部２１は、ＣＰＵ，ＲＯＭ，ＲＡＭ，Ｉ／Ｏ及びこれらの構成を接続するバスラインなどからなる周知のマイクロコンピュータを中心に構成されており、ＲＯＭに記憶されたプログラムや、ＲＡＭにロードされたＯＳや各種アプリケーション等に基づいて上記各部を統括的に制御して各種処理を実行する。
【００３２】
ディスプレイ２２は、液晶ディスプレイや有機ＥＬディスプレイ等を備え、ユーザに対して視覚的に情報を伝達する部位である。
キーボード２３は、周知のキーボードであり、ユーザからの操作入力を受け付ける部位である。
【００３３】
マウス２４は、周知のマウスであり、ユーザからの操作入力を受け付ける部位である。
ネットワークＩ／Ｆ２５は、他のＬＡＮ３０上の機器（本実施形態ではＭＦＰ１０）とEthernet（登録商標）規格に基づいた通信を行う部位である。
【００３４】
記憶部２６は、ハードディスクやフラッシュメモリ等の不揮発性の記憶媒体を備え、各種のプログラムやデータ等を記憶している部位である。
ＵＳＢ  Ｉ／Ｆ２７は、ＵＳＢ対応機器（本実施形態ではＭＦＰ１０）とＵＳＢ規格に基づいた通信を実現するための通信処理を行う部位である。
【００３５】
［動作の説明］
次に、ＭＦＰ１０にてスキャンを行い、生成したスキャン画像データをいずれかのＰＣ２０に送信するプッシュスキャンを行う際の画像読取システム１の動作について説明する。尚、プッシュスキャンが開始される際は、ＰＣ２０は、ＯＳによりユーザがログインした状態となっている。また、図４には、ＭＦＰ１０の操作パネルの一例が記載されており、図５には、ＭＦＰ１０とＰＣ２０との間でやりとりされるメッセージの内容が記載されている。以後、図４及び図５を適宜参照しつつ、上記動作についての説明を行う。
【００３６】
（１）プッシュスキャン実行時の処理の概要について
（１−１）ＬＡＮを介してのプッシュスキャンについて
まず、ＬＡＮ３０を経由してのプッシュスキャン、すなわち、ＭＦＰ１０にて生成されたスキャン画像データを、ＭＦＰ１０とＬＡＮ３０を介して接続されているＰＣ２０ｂまたはＰＣ２０ｃに送信するプッシュスキャンについて、図３に記載のシーケンス図を用いて説明する。
【００３７】
ユーザがＭＦＰ１０に原稿をセットし、操作パネルを介してプッシュスキャンの開始を指示すると（Ｓ１０５）、プッシュスキャンが開始される。図４に記載されているように、ＭＦＰ１０の操作パネルは、液晶表示パネル１２と入力部１３とから構成されている。入力部１３は、上下左右釦，スキャン釦，キャンセル釦を有している。また、液晶表示パネル１２にはスキャン画像データの送信先のＰＣの選択画面が表示されており、“ＰＣ＿００００１（ＮＥＴＷＯＲＫ）”，“ＰＣ＿００００２（ＮＥＴＷＯＲＫ）”，“ＵＳＢ”という表示がされている。これらの表示は、順番に、ＰＣ２０ｂ，ＰＣ２０ｃ，ＰＣ２０ａに対応している。ユーザは、入力部１３が有する上下釦により上記表示のいずれかを選択することができ、“ＰＣ＿００００１（ＮＥＴＷＯＲＫ）”または“ＰＣ＿００００２（ＮＥＴＷＯＲＫ）”が選択された状態でスキャン釦が押されると、選択されたＰＣをスキャン画像データの送信先として、ＬＡＮ３０を経由したプッシュスキャンが開始される。
【００３８】
プッシュスキャン開始の指示を受け付けると、ＭＦＰ１０は、スキャンを開始すると共に、選択されたＰＣ２０に対し、ＬＡＮ３０を介して、プッシュスキャンのための準備を指令するプッシュスキャン準備指令と、プッシュスキャンによるスキャン画像の表示を禁止するロック指令とを行う（Ｓ１１０）。図５の（ａ−１）には、プッシュスキャン準備指令とロック指令とを示すメッセージである命令メッセージ２００が記載されている。命令メッセージ２００は、プッシュスキャンのための準備を指令するＣＯＭＭＡＮＤ２０１と、スキャン画像の表示の禁止を指令するＳＵＢＣＯＭＭＡＮＤ２０２と、スキャン画像データを生成するＭＦＰ１０のＩＰアドレスを示すＭＦＰ  ＩＰ２０３と、プッシュスキャンの際の通信に用いられるＭＦＰ１０のポート番号を示すＭＦＰ  ＰＯＲＴ２０４とから構成されている。Ｓ１１０では、ＭＦＰ１０から選択されたＰＣに対し、上記命令メッセージ２００がＬＡＮ３０を介して送信される。
【００３９】
ＭＦＰ１０からプッシュスキャン準備指令とロック指令とを受け付けたＰＣ２０ｂまたはＰＣ２０ｃは、プッシュスキャンを行うためのアプリケーションを起動し、さらに、ロック指令に従いスキャン画像の表示をロックする（Ｓ１１５）。具体的には、ＰＣ２０ｂ等は、上記アプリケーションを起動させたままの状態で、起動中のＯＳをログオフ状態としても良いし、上記アプリケーションによりスキャン画像の表示を禁止させても良い。そして、ＰＣ２０ｂ等は、スキャン画像のロックに成功すると、ＭＦＰ１０に対しロック成功通知を行う（Ｓ１２０）。尚、図５の（ａ−２）には、ロック成功通知を行う際にＰＣ２０ｂ等からＭＦＰ１０へ送信される通知メッセージ２１０が記載されている。
【００４０】
スキャンが終了し、なおかつ、ＰＣ２０ｂまたはＰＣ２０ｃからロック成功通知を受け付けた場合には、ＭＦＰ１０は、ＬＡＮ３０を介してＰＣ２０ｂ等に対するスキャン画像データの送信を開始する（Ｓ１２５，Ｓ１３０）。
【００４１】
ＰＣ２０ｂ等は、スキャン画像データの受信を開始後、ロック解除条件が成立すると、スキャン画像の表示のロックを解除する（Ｓ１３５）。そして、受信したスキャン画像データに基づき生成されたスキャン画像をディスプレイ２２に表示する。尚、ロック解除条件とは、スキャン画像の表示のロックのためにＯＳをログオフ状態とした場合であれば、例えば、プッシュスキャン開始時にログインしていたユーザが再度ログインするという条件であっても良い。また、プッシュスキャンを行うためのアプリケーションによりスキャン画像の表示をロックさせた場合であれば、例えば、スキャン画像の表示のロックから所定の時間が経過するという条件であっても良いし、ユーザから所定のパスワードの入力を受け付けるといった条件であっても良い。
【００４２】
（１−２）ＵＳＢを介してのプッシュスキャンについて
次に、ＵＳＢ４０を経由してのプッシュスキャン、すなわち、ＭＦＰ１０にて生成されたスキャン画像データを、ＭＦＰ１０とＵＳＢ４０を介して接続されているＰＣ２０ａに送信するプッシュスキャンについて説明する。
【００４３】
上述したように、ユーザがＭＦＰ１０に原稿をセットし、操作パネルを介してプッシュスキャンの開始を指示すると、プッシュスキャンが開始される。図４に記載されているように、液晶表示パネル１２にはスキャン画像データの送信先のＰＣを選択する画面が表示されており、“ＰＣ＿００００１（ＮＥＴＷＯＲＫ）”，“ＰＣ＿００００２（ＮＥＴＷＯＲＫ）”，“ＵＳＢ”という表示がされている。これらの表示は、ＰＣ２０ｂ，ＰＣ２０ｃ，ＰＣ２０ａにそれぞれ対応している。ユーザは、入力部１３が有する上下釦により上記表示のいずれかを選択することができ、“ＵＳＢ”が選択された状態でスキャン釦が押されると、ＵＳＢ４０により接続されているＰＣ２０ａをスキャン画像データの送信先としてプッシュスキャンが開始される。
【００４４】
プッシュスキャン開始の指示を受け付けると、ＭＦＰ１０は、スキャンを開始すると共に、ＰＣ２０ａに対しＵＳＢ４０を介してプッシュスキャンのための準備を指令するプッシュスキャン準備指令を行う。このとき、図５の（ｂ）に記載されている命令メッセージ２２０が、ＭＦＰ１０からＰＣ２０ａに対しＵＳＢ４０を介して送信される。そして、ＭＦＰ１０が、スキャン画像データを生成し、生成したスキャン画像データのＰＣ２０ａへの送信を開始する。
【００４５】
ＭＦＰ１０からプッシュスキャン準備指令を受け付けたＰＣ２０ａは、プッシュスキャンを行うためのアプリケーションを起動する。そして、ＭＦＰ１０からスキャン画像データの受信を開始すると、受信したスキャン画像データに基づきスキャン画像を生成し、ディスプレイ２２に表示する。
【００４６】
（２）プッシュスキャン実行時にＰＣにて行われる処理について
次に、図６に記載されているフローチャートを用いて、プッシュスキャン実行時にＰＣ２０にて行われる処理についてより詳しく説明する。図６の記載のフローチャートが示す処理は、ＰＣ２０の起動時に開始される処理である。また、この処理は、ＰＣ２０を停止させる旨の操作が行われた場合に終了する。
【００４７】
Ｓ３０５では、ＰＣ２０の制御部２１は、ＭＦＰ１０から、ＬＡＮ３０またはＵＳＢ４０を介してのプッシュスキャン準備指令を受け付けたか否かを判定する。プッシュスキャン準備指令を受け付けていない場合には（Ｓ３０５：Ｎｏ）、制御部２１は、Ｓ３７０に処理を移行する。プッシュスキャン準備指令を受け付けた場合には（Ｓ３０５：Ｙｅｓ）、制御部２１は、プッシュスキャンを行うためのアプリケーションを起動し、Ｓ３１０に処理を移行する。
【００４８】
Ｓ３１０では、制御部２１は、プッシュスキャン準備指令と共にロック指令を受け付けたか否かを判定する。プッシュスキャン準備指令と共にロック指令を受け付けた場合、すなわち、ＬＡＮ３０を介してＭＦＰ１０からプッシュスキャン準備指令を受け付けた場合、制御部２１は、Ｓ３１５に処理を移行する。プッシュスキャン準備指令と共にロック指令を受け付けていない場合、すなわち、ＵＳＢ４０を介してＭＦＰ１０からプッシュスキャン準備指令を受け付けた場合、制御部２１は、Ｓ３３５に処理を移行する。
【００４９】
Ｓ３１５では、制御部２１は、スキャン画像の表示をロックする。具体的には、制御部２１は、プッシュスキャンを行うためのアプリケーションを起動させたままの状態で、起動中のＯＳをログオフ状態としても良い。また、制御部２１は、プッシュスキャンを行うためのアプリケーションに対しスキャン画像全体の表示を禁止させても良いし、スキャン画像の全体像を把握することが困難となる程度に、スキャン画像の大部分または一部分の表示を禁止させても良い。そして、ロックに成功した場合（Ｓ３２０：Ｙｅｓ）、制御部２１は、ＬＡＮ３０を介してＭＦＰ１０に対しロック成功通知を行い（Ｓ３２５）、Ｓ３３５に処理を移行する。また、ロックに失敗した場合、制御部２１は、ＬＡＮ３０を介してＭＦＰ１０に対しロック失敗通知を行い（Ｓ３３０）、Ｓ３３５に処理を移行する。
【００５０】
Ｓ３３５では、制御部２１は、ＬＡＮ３０またはＵＳＢ４０を介してＭＦＰ１０からスキャン画像データの受信を開始し、Ｓ３４０に処理を移行する。
Ｓ３４０では、制御部２１は、既に受信したスキャン画像データに基づきスキャン画像を生成する。尚、ＭＦＰ１０は、ＰＣ２０に対し暗号化された状態のスキャン画像データを送信する場合があるが、このような場合には、制御部２１は、暗号化された状態のスキャン画像データに基づき画像を生成し、本来のスキャン画像とは異なる画像（例えば、スクランブルされた状態のスキャン画像）をスキャン画像として生成する。そして、制御部２１は、スキャン画像の表示がロックされているか否かを判定し（Ｓ３４５）、スキャン画像の表示がロックされていない場合には（Ｓ３４５：Ｎｏ）、生成したスキャン画像をディスプレイ２２に表示し、Ｓ３６０に処理を移行する。また、スキャン画像の表示がロックされている場合には（Ｓ３４５：Ｙｅｓ）、制御部２１は、Ｓ３５０に処理を移行する。
【００５１】
Ｓ３５０では、制御部２１は、ロック解除条件が成立したか否かを判定する。具体的には、プッシュスキャンを行うアプリケーションによりスキャン画像の表示を禁止させた場合であれば、制御部２１は、スキャン画像の表示のロック後、所定の時間が経過した場合や、ユーザからキーボード２３を介して所定のパスワードの入力を受け付けた場合に、ロック解除条件が成立したとみなしても良い。また、ＯＳをログオフ状態とすることによりスキャン画像の表示をロックした場合であれば、制御部２１は、プッシュスキャン開始時にログオンしていたユーザが再度ログオンした場合に、ロック解除条件が成立したとみなしても良い。ロック解除条件が成立した場合（Ｓ３５０：Ｙｅｓ）、制御部２１は、Ｓ３５５に処理を移行する。ロック解除条件が成立していない場合（Ｓ３５０：Ｎｏ）、制御部２１は、Ｓ３６０に処理を移行する。
【００５２】
Ｓ３５５では、制御部２１は、スキャン画像の表示のロックを解除し、Ｓ３４０に処理を移行する。
Ｓ３６０では、制御部２１は、ＭＦＰ１０からのスキャン画像データの受信が終了したか否かを判定する。スキャン画像データの受信が終了していない場合（Ｓ３６０：Ｎｏ）、制御部２１は、Ｓ３４０に処理を移行する。スキャン画像データの受信が終了した場合には（Ｓ３６０：Ｙｅｓ）、制御部２１は、Ｓ３６５に処理を移行する。
【００５３】
Ｓ３６５では、制御部２１は、プッシュスキャンを行うアプリケーションによりスキャン画像の表示を禁止させた場合において、スキャン画像の表示のロックがされている場合には、ロックを解除し、Ｓ３０５に処理を移行する。
【００５４】
プッシュスキャン準備指令を受け付けていない場合に移行するＳ３７０では、制御部２１は、プッシュスキャンに関する処理以外の他の処理を実行し、これらの処理が終了すると、再度、Ｓ３０５に処理を移行する。
【００５５】
（３）プッシュスキャン時にＭＦＰにて行われる処理について
次に、図７に記載されているフローチャートを用いて、プッシュスキャン実行時にＭＦＰ１０にて行われる処理についてより詳しく説明する。図７の記載のフローチャートが示す処理は、ＭＦＰ１０の起動時に開始される処理である。また、この処理は、入力部１３に対してＭＦＰ１０を停止させる旨の操作が行われた場合に終了する。
【００５６】
Ｓ４０５では、ＭＦＰ１０の制御部１１は、ＬＡＮ３０を介して接続されているＰＣ２０ｂまたはＰＣ２０ｃをスキャン画像データの送信先とするプッシュスキャンの開始指示を、入力部１３を介してユーザから受け付けたか否かを判定する。上記プッシュスキャンの開始指示を受け付けた場合には（Ｓ４０５：Ｙｅｓ）、制御部１１は、スキャンエンジン１４に対してスキャンを開始させ、Ｓ４１０に処理を移行する。上記プッシュスキャンの開始指示を受け付けていない場合には（Ｓ４０５：Ｎｏ）、制御部１１は、Ｓ４３０に処理を移行する。
【００５７】
Ｓ４１０では、制御部１１は、ＰＣ２０ｂまたはＰＣ２０ｃに対し、ＬＡＮ３０を介してプッシュスキャン準備指令とロック指令とを行い、Ｓ４１５に処理を移行する。
Ｓ４１５では、制御部１１は、プッシュスキャン準備指令等を行ったＰＣにて、スキャン画像の表示のロックが成功したか否かを判定する。具体的には、上記ＰＣからロック成功の通知を受け取った場合（Ｓ４１５：Ｙｅｓ）、制御部１１は、スキャン画像の表示のロックが成功したと判定し、Ｓ４２０に処理を移行する。また、上記ＰＣからロック失敗の通知を受け取った場合（Ｓ４１５：Ｎｏ）、制御部１１は、スキャン画像の表示のロックが失敗したと判定し、Ｓ４２５に処理を移行する。
【００５８】
スキャン画像の表示のロックが成功した場合に移行するＳ４２０では、制御部１１は、スキャンエンジン１４により生成されたスキャン画像データを上記ＰＣに対して送信し、送信が終了すると、Ｓ４０５に処理を移行する。
【００５９】
一方、スキャン画像の表示のロックが失敗した場合に移行するＳ４２５では、制御部１１は、スキャンエンジン１４により生成されたスキャン画像データを暗号化して上記ＰＣに対して送信する。送信が終了すると、制御部１１は、Ｓ４０５に処理を移行する。
【００６０】
ＬＡＮ３０を経由したプッシュスキャンの開始指示を受け付けていない場合に移行するＳ４３０では、制御部１１は、ＵＳＢ４０を介して接続されているＰＣ２０ａをスキャン画像データの送信先とするプッシュスキャンの開始指示を、入力部１３を介してユーザから受け付けたか否かを判定する。上記プッシュスキャンの開始指示を受け付けた場合には（Ｓ４３０：Ｙｅｓ）、制御部１１は、スキャンエンジン１４に対してスキャンを開始させ、Ｓ４３５に処理を移行する。上記プッシュスキャンの開始指示を受け付けていない場合には（Ｓ４３０：Ｎｏ）、制御部１１は、Ｓ４４５に処理を移行する。
【００６１】
Ｓ４３５では、制御部１１は、ＰＣ２０ａに対しＵＳＢ４０を介してプッシュスキャン準備指令を行い、スキャンエンジン１４により生成されたスキャン画像データをＰＣ２０ａに対して送信する（Ｓ４４０）。そして、送信が終了すると、制御部１１は、再度、Ｓ４０５に処理を移行する。
【００６２】
ＵＳＢ４０を経由したプッシュスキャンの開始指示を受け付けていない場合に移行するＳ４４５では、制御部１１は、プッシュスキャンに関する処理以外の他の処理を行い、これらの処理が終了すると、再度、Ｓ４０５に処理を移行する。
【００６３】
［効果］
本実施形態の画像読取システム１では、ＬＡＮ３０を経由してプッシュスキャンを行う際、ＭＦＰ１０は、ＰＣ２０ｂまたはＰＣ２０ｃに対し、ロック指令を行う（Ｓ１１０）。そして、ロック指令を受け取ったＰＣ２０ｂ等は、ロック解除条件が成立するまで、スキャン画像の表示を禁止する（Ｓ１１５）。したがって、ＬＡＮ３０を経由してプッシュスキャンを行う際、ＰＣ２０ｂ等の付近にユーザがいるか否かに関らず、スキャンされた画像がＰＣ２０ｂ等にてそのまま表示されてしまうことを防ぐことができる。したがって、画像読取システム１は、プッシュスキャンにより紙媒体等から読み取られたスキャン画像が第三者に盗み見され、情報が漏洩してしまうことを防ぐことができる。
【００６４】
また、ロック指令を受け取ったＰＣ２０ｂ等がスキャン画像の表示のロックに成功すると、ＰＣ２０ｂ等は、ＭＦＰ１０に対してロック成功通知を行う（Ｓ１２０）。そして、ＭＦＰ１０は、ロック成功通知を受け取ると、生成したスキャン画像データをＰＣ２０ｂ等に送信する（Ｓ１３０）。このため、画像読取システム１は、スキャン画像が第三者に盗み見され、情報が漏洩してしまうことをより確実に防ぐことができる。
【００６５】
また、ロック指令を受け取ったＰＣ２０ｂ等がスキャン画像の表示のロックに失敗した場合には、ＰＣ２０ｂ等は、ＭＦＰ１０に対してロック失敗通知を行う（Ｓ３３０）。そして、ロック失敗通知を受け取ったＭＦＰ１０は、生成したスキャン画像データを暗号化してＰＣ２０ｂ等に送信する（Ｓ４２５）。そして、暗号化された状態のスキャン画像データを受信したＰＣ２０ｂ等は、スクランブルされた状態のスキャン画像等を表示する。このため、画像読取システム１は、ＰＣ２０ｂ等がスキャン画像の表示のロックに失敗した場合であっても、この画像が第三者に盗み見され、情報が漏洩してしまうことを防ぐことが可能となる。
【００６６】
また、本実施形態には、ＰＣ２０ｂ等がスキャン画像の表示をロックする際の処理の一例として、起動中のＯＳをログオフ状態とする等してスキャン画像の表示を禁止するという処理が記載されている。こうすることにより、ＰＣ２０ｂ等は、第三者に対しプッシュスキャンが行われていることを秘匿することができる。したがって、画像読取システム１は、スキャン画像が第三者に盗み見されてしまうことをより確実に防ぐことができると共に、スキャン画像データの盗難の予防が可能となり、スキャン画像の漏洩をより確実に防ぐことができる。
【００６７】
また、本実施形態には、ロック解除条件の一例として、ＰＣ２０ｂ等がプッシュスキャンを行うアプリケーションによりスキャン画像の表示を禁止させた場合において、スキャン画像の表示のロック後、所定の時間が経過するという条件が記載されている。このような条件をロック解除条件として用いることにより、例えば、ユーザがＰＣ２０ｂから離れた場所でプッシュスキャンのための作業を行っている場合であっても、ユーザがＰＣ２０ｂの付近に戻るまで、スキャン画像の表示を禁止することが可能となる。したがって、画像読取システム１は、スキャン画像が第三者に盗み見され、情報が漏洩してしまうことを防ぐことが可能となる。
【００６８】
また、本実施形態には、ロック解除条件の一例として、ＰＣ２０ｂ等がプッシュスキャンを行うアプリケーションによりスキャン画像の表示を禁止させた場合において、ＰＣ２０ｂ等が所定のパスワードの入力を受け付けるという条件が記載されている。このような条件をロック解除条件として用いることにより、所定のパスワードを知っている限られたユーザのみが、ＰＣ２０ｂ等からスキャン画像を見ることができる。したがって、画像読取システム１は、スキャン画像が第三者に盗み見され、情報が漏洩してしまうことをより確実に防ぐことができる。
【００６９】
また、例えば、ＭＦＰ１０とＰＣ２０とがＬＡＮ等を介して接続されている場合には、これらの装置は互いに離れた場所に設置されている場合を想定することができる。一方、例えば、ＭＦＰ１０とＰＣ２０とがＵＳＢ等により直接接続されている場合には、これらの装置は互いに隣接した場所に設置されていることが予測される。ＭＦＰ１０とＰＣ２０とが互いに隣接した場所に設置されている場合には、ユーザは、ＰＣ２０の付近にてプッシュスキャンのための作業を行うことが考えられる。
【００７０】
そこで、ＵＳＢを経由してプッシュスキャンを行う際には、ＭＦＰ１０は、ＵＳＢを介して接続されているＰＣ２０ａに対してロック指令を行わず、スキャン指令のみを行い（Ｓ４３５）、プッシュスキャンにより読み取られたスキャン画像がＰＣ２０ａにそのまま表示される。
【００７１】
上述したように、画像読取システム１では、ＬＡＮ３０を経由してプッシュスキャンを行う場合には、ユーザがＰＣ２０の付近におらず、ディスプレイを覗き見られる可能性の高いとみなし、ＰＣ２０にスキャン画像を表示することを禁止する。一方、ＵＳＢ４０を経由してプッシュスキャンを行う場合には、画像読取システム１は、プッシュスキャンを指示したユーザがＰＣ２０ａの付近にいるとみなし、ＰＣ２０ａにスキャン画像を表示するのである。このため、スキャン画像が第三者に盗み見され情報が漏洩してしまうことを防ぎつつ、画像読取システム１の使い勝手を向上させることができる。
【００７２】
［他の実施形態］
（１）本実施形態において、ＰＣ２０ｂまたはＰＣ２０ｃは、ＬＡＮ３０を介してＭＦＰ１０から暗号化された状態のスキャン画像データを受信すると、暗号化された状態のスキャン画像データに基づき本来のスキャン画像とは異なる画像を生成してディスプレイ２２に表示する。しかし、ＰＣ２０ｂ等は、暗号化された状態のスキャン画像データを受信した際には、上記画像に替えて、黒画等といった特定の画像をディスプレイ２２に表示しても良い。このような画像を表示した場合であっても、同様の効果を得ることができる。
【００７３】
（２）また、ＰＣ２０ｂ等がＭＦＰ１０から暗号化されたスキャン画像データを受信し、スキャン画像とは異なる画像を表示している場合において、ＰＣ２０ｂ等は、例えば、ユーザからキーボード２３を介して所定のパスワードの入力を受け付けた場合に、暗号化されたスキャン画像データをデコードしても良い。そして、ＰＣ２０ｂ等は、本来のスキャン画像をディスプレイ２２に表示しても良い。こうすることにより、所定のパスワードを知っているユーザのみがスキャン画像を表示させることが可能となり、スキャン画像が第三者に盗み見されてしまうことを防ぐことができる。
【００７４】
（３）本実施形態では、ＭＦＰ１０とＰＣ２０ａとはＵＳＢにより接続されているが、言うまでもないことではあるが、これらの装置は、例えば、ＩＥＥＥ１３９４等といった、他の規格のバスにより接続されていても良い。このような場合であっても、同様の効果を得ることができる。
【００７５】
（４）本実施形態では、ＭＦＰ１０（多機能周辺装置）によるプッシュスキャンについて説明したが、例えば、ＭＦＰに替えてスキャンのみを実行可能なスキャナ装置が用いられる場合であっても、同様の効果を得ることができる。
【００７６】
［特許請求の範囲との対応］
上記実施形態の説明で用いた用語と、特許請求の範囲の記載に用いた用語との対応を示す。
【００７７】
ＭＦＰ１０が画像読取装置に相当する。また、ＭＦＰ１０が備えるＵＳＢ  Ｉ／Ｆ１５及びネットワークＩ／Ｆ１７が出力手段に相当し、制御部１１及びネットワークＩ／Ｆ１７が指示手段に相当し、ネットワークＩ／Ｆ１７が第一の通知受付手段，第二の通知受付手段にそれぞれ相当する。また、ＭＦＰ１０がＰＣ２０ｂまたはＰＣ２０ｃに対して行うロック指令が、禁止指示に相当する。
【００７８】
また、ＰＣ２０が情報処理装置に相当する。また、ＰＣ２０が備える制御部２１が制御手段に相当し、ネットワークＩ／Ｆ２５が指示受付手段に相当し、ディスプレイ２２が表示手段に相当し、ネットワークＩ／Ｆ２５及びＵＳＢ  Ｉ／Ｆ２７が取得手段に相当し、キーボード２３が入力受付手段に相当し、制御部２１及びネットワークＩ／Ｆ２５が、第一の通知手段，第二の通知手段にそれぞれ相当する。
【図面の簡単な説明】
【００７９】
【図１】画像読取システム１の構成を示すブロック図である。
【図２】ＭＦＰ１０及びＰＣ２０の構成を示すブロック図である。
【図３】プッシュスキャン実行時におけるＭＦＰ１０とＰＣ２０との間のシーケンス図である。
【図４】ＭＦＰ１０の操作パネルである。
【図５】ＭＦＰ１０とＰＣ２０との間でやりとりされるメッセージである。
【図６】プッシュスキャン実行時におけるＰＣ２０の処理を示すフローチャートである。
【図７】プッシュスキャン実行時におけるＭＦＰ１０の処理を示すフローチャートである。
【符号の説明】
【００８０】
１…画像読取システム、１０…ＭＦＰ、１１…制御部、１２…液晶表示パネル、１３…入力部、１４…スキャンエンジン、１５…ＵＳＢ  Ｉ／Ｆ、１６…記憶部、１７…ネットワークＩ／Ｆ、１８…印刷エンジン、２０…ＰＣ、２０ａ…ＰＣ、２０ｂ…ＰＣ、２０ｃ…ＰＣ、２１…制御部、２２…ディスプレイ、２３…キーボード、２４…マウス、２５…ネットワークＩ／Ｆ、２６…記憶部、２７…ＵＳＢ  Ｉ／Ｆ、３０…ＬＡＮ、４０…ＵＳＢ、２００…命令メッセージ、２０１…ＣＯＭＭＡＮＤ、２０２…ＳＵＢＣＯＭＭＡＮＤ、２０３…ＭＦＰ  ＩＰ、２０４…ＭＦＰ  ＰＯＲＴ、２１０…通知メッセージ、２２０…命令メッセージ。
【図１】
2010081378.tif 000003
【図２】
2010081378.tif 000004
【図４】
2010081378.tif 000005
【図５】
2010081378.tif 000006
【図６】
2010081378.tif 000007
【図７】
2010081378.tif 000008
【図３】
2010081378.tif 000009